(57)【要約】【課題】作業性が良く、網目の取付に手間がかからず、法面に対して倒れにくく安定性の高いネットスペーサを提供する。【解決手段】ネットスペーサ１は、上部に金網の網目における平行な一対の線材が上方から嵌合可能な一対の嵌合凹部６と、その嵌合凹部６に夫々連設されて前記網目の外側に位置し、前記網目側への接近に従って前記嵌合凹部６へ夫々前記線材を誘導する一対の誘導部４とを備える。【選択図】図１
2008025120.tif 000002
【特許請求の範囲】
【請求項１】
法面上に載置されて金網を下方から保持させるためのネットスペーサであって、
上部に、前記金網の網目における平行な一対の線材が上方から嵌合可能な一対の嵌合凹部と、その嵌合凹部に夫々連設されて前記網目の外側に位置し、前記網目側への接近に従って前記嵌合凹部へ夫々前記線材を誘導する一対の誘導部とを備えたことを特徴とするネットスペーサ。
【請求項２】
平面視十字状に結合される一対の板体からなり、一方の板体の上部には嵌合凹部と誘導部とが形成され、他方の板体には、前記嵌合凹部で保持される線材と他の対の線材が係止可能な係止部が設けられる請求項１に記載のネットスペーサ。
【請求項３】
誘導部は、嵌合凹部を最深部として外側へ行くに従って上昇する傾斜突片である請求項１又は２に記載のネットスペーサ。
【請求項４】
嵌合凹部に、嵌合した線材の抜け止め部を設けた請求項１乃至３の何れかに記載のネットスペーサ。
【発明の詳細な説明】
【技術分野】
【０００１】
本発明は、コンクリート、モルタル等を法面に吹き付ける際に、網目等を法面より一定の高さだけ浮かせて保持させるネットスペーサに関するものである。
【背景技術】
【０００２】
このようなネットスペーサにおいて、従来は、金属製のＴ字形のピンを線材の接合部に嵌込んで使用するスペーサや、線材の接合部に折り曲げてねじった線材を咬み込ませるものが使用されている(特許文献１参照)。
他には、４枚の板体を平面視十字状に結合されるもので、板体外側縁部に嵌合凹部を有する構成からなり、嵌合凹部の位置によって網目を法面から一定の高さだけ浮かせて保持させるネットスペーサが考えられている(特許文献２参照)。
【０００３】
【特許文献１】実開平５−８３０４５号公報
【特許文献２】特開２００１−２３４５４１号公報
【発明の開示】
【発明が解決しようとする課題】
【０００４】
しかしながら、上記した引用文献１のように、金属製のＴ字形のピンを線材の接合部に嵌込んで使用するスペーサや、線材の接合部に折り曲げてねじった鋼線を咬み込ませるものは何れも作業性が悪く、取付に手間がかかる上に安定性に欠け転倒しやすいといった問題がある。
また、引用文献２のように、４枚の板体を平面視十字状に結合されるネットスペーサにおいては、安定性は高いが、板体外側縁部の嵌合凹部に線材をそれぞれ嵌合させなければならず、取付に手間がかかるといった問題がある。
【０００５】
本発明の目的は、上記従来のネットスペーサの問題点を解消し、作業性が良く、網目の取付に手間がかからず、法面に対して倒れにくく安定性の高いネットスペーサを提供することにある。
【課題を解決するための手段】
【０００６】
かかる本発明のうち請求項１に記載された発明の構成は、法面上に載置されて金網を下方から保持させるためのネットスペーサであって、上部に、前記金網の網目における平行な一対の線材が上方から嵌合可能な一対の嵌合凹部と、その嵌合凹部に夫々連設されて前記網目の外側に位置し、前記網目側への接近に従って前記嵌合凹部へ夫々前記線材を誘導する一対の誘導部とを備えたことにある。
【０００７】
請求項２に記載された発明の構成は、平面視十字状に結合される一対の板体からなり、一方の板体の上部には嵌合凹部と誘導部とが形成され、他方の板体には、前記嵌合凹部で保持される線材と他の対の線材が係止可能な係止部が設けられることにある。
【０００８】
請求項３に記載された発明の構成は、誘導部は、嵌合凹部を最深部として外側へ行くに従って上昇する傾斜突片であることにある。
【０００９】
請求項４に記載された発明の構成は、嵌合凹部に、嵌合した線材の抜け止め部を設けたことにある。
【発明の効果】
【００１０】
請求項１のネットスペーサは、線材と嵌合凹部との嵌合において、網目を下げるか、ネットスペーサ自体を持ち上げることで、線材が誘導部に沿って嵌合凹部へ誘導され嵌合が容易となる。
【００１１】
請求項２のネットスペーサは、線材と嵌合凹部とで嵌合することに加え、平面視十字状に結合される一対の板体で形成し、他方の板体に係止部を有し、他の対の線材と係止部とが係止することによって、網目に対してより安定した固定を行うことが可能となる。
【００１２】
請求項３のネットスペーサは、嵌合凹部を最深部として外側へ行くに従って上昇する傾斜突片によって、線材が誘導部に沿って嵌合凹部へ確実に誘導される。
【００１３】
請求項４のネットスペーサは、嵌合凹部に抜け止め部を設けたことで、線材が嵌合部から外れることがなく、網目はネットスペーサにより安定して保持することができる。
【発明を実施するための最良の形態】
【００１４】
以下、本発明のネットスペーサの実施形態について、図面に基づいて詳細に説明する。  
【００１５】
図１は、実施例のネットスペーサ１の斜視図を示したものである。図２は、ネットスペーサ１の正面図である。図３は、ネットスペーサ１の側面図である。図４は、網目にネットスペーサ１を使用した状態の参考図である。
【００１６】
ネットスペーサ１は、板体２，３を平面視十字状に結合して形成されている。板体２には、網目を受け嵌合凹部６に誘導するために円弧形状からなる誘導部４と、網目を固定する嵌合凹部６と、嵌合凹部６から網目が外れないように固定する抜け止め部５とが各々形成されている。
【００１７】
一方、板体３は、脚８と網目を受ける係止部９とからなっている。そして、板体２の脚７と板体３の脚８とにより４方向で支えることで、倒れにくく安定性の高いネットスペーサとなっている。
【００１８】
そして、ネットスペーサ１の高さＨは、法面から嵌合凹部６までの高さＨ１と、嵌合凹部６とつまみ１０までの高さとからなる。したがって、高さＨ１によって法面から網目を浮かせる高さが決定する。
【００１９】
金網の網目の大きさをＷ１×Ｗ２とする。ネットスペーサ１は、左右の嵌合凹部６を繋ぐ距離がＷ１と同じである。板片３の左右の係止部９を繋ぐ距離は、Ｗ２と同じである。また、誘導部４，４の先端間の距離Ｗ３は、Ｗ１より長いことから網目を受けることが可能である。
【００２０】
また、ネットスペーサ１は、図５のような位置において網目の上から斜めに挿入するか、誘導部４に可撓性のある材質を用いることで上から押し込み、網目の下側へ通すことで設置可能となる。そして、ネットスペーサ１を持ち上げ、網目の一対の線材を誘導部４に沿って嵌合凹部６へ滑り込ませて２箇所で係止する。また、板体３の係止部９には、他の対の線材を係止させることにより安定した固定が行われる。
【００２１】
上記の如く、ネットスペーサ１は、平面視十字状に結合される一対の板体２，３からなり、一方の板体２の上部には上部に金網の網目における平行な一対の線材が上方から嵌合可能な一対の嵌合凹部６と、その嵌合凹部６に夫々連設されて網目の外側に位置し、網目側への接近に従って嵌合凹部６へ夫々線材を誘導する一対の誘導部４とを備えている。
その結果、線材と嵌合凹部６との嵌合において、網目を下げるか、ネットスペーサ１自体を持ち上げることで、線材が板体２の誘導部４に沿って嵌合凹部６へ誘導され嵌合させることが容易にできる。
【００２２】
特に、板体２に嵌合凹部６を有し、対の線材と嵌合凹部６とが係止することと、板体３に係止部９を有し、他の対の線材と係止部９とが係止することと、その板体２，３を平面視十字状に結合することとにより、網目に対して安定した固定を行うことが可能となる。また、板体２の脚７と板体３の脚８とによって、平面視十字状に４箇所で法面を支持するので、１箇所で支持するものに比べ、倒れにくく安定性が高い。
【００２３】
また、誘導部４は、嵌合凹部６を最深部として外側へ行くに従って上昇する傾斜突片となっている。そのような傾斜突片によって、線材が誘導部４に沿って嵌合凹部６へ確実に誘導される。
また、嵌合凹部６に抜け止め部５を設けたことで、線材が嵌合部から外れることがなくなり、網目はネットスペーサ１により安定して保持することができる。
【００２４】
なお、本発明のネットスペーサの構成は、上記実施形態の態様に何ら限定されるものではなく、板体の形状、板厚、配置方法、嵌合凹部の形状、材質、構造等の構成を、本発明の趣旨を逸脱しない範囲で必要に応じて適宜変更することができる。
【００２５】
たとえば、ネットスペーサ１を構成する板体の数は、必要に応じて適宜変更することができる。また、実施例では、嵌合凹部６は板厚部分において網目と嵌合しているが、図６のように嵌合凹部６の肉厚を大きくしてもよい。この場合、嵌合凹部６において、線材に対して接地面積が増えることで、より強固な嵌合が可能となる。同様に、係止部９の肉厚を大きくしても良い。また、誘導部４の形状は、円弧を描いた形状を有しているが、使用状況に応じ、適宜変更しても良い。他には、板体３にも誘導部４を設けても良い。また、板体３の係止部９をなくして板体２の補助のみとして使用しても良い。
【図面の簡単な説明】
【００２６】
【図１】ネットスペーサの斜視図である。
【図２】ネットスペーサの正面図である。
【図３】ネットスペーサの側面図である。
【図４】ネットスペーサの使用状態を示す参考図である。
【図５】ネットスペーサの使用状態を示す参考平面図である。
【図６】変更例のネットスペーサの使用状態を示す参考図である。
【符号の説明】
【００２７】
１・・ネットスペーサ、２・・板体、３・・板体、４・・誘導部、５・・抜け止め部、６・・嵌合凹部、７・・脚、８・・脚、９・・係止部、１０・・つまみ、Ｈ・・ネットスペーサの高さ、Ｈ１・・法面から嵌合凹部６までの高さ（法面から網目を浮かせる高さ）、Ｗ１・・金網の網目の大きさ、Ｗ２・・金網の網目の大きさ(板体３の係止部９，９の間の距離)、Ｗ３・・嵌合凹部６，６の先端間の距離。
【図１】
2008025120.tif 000003
【図２】
2008025120.tif 000004
【図３】
2008025120.tif 000005
【図４】
2008025120.tif 000006
【図５】
2008025120.tif 000007
【図６】
2008025120.tif 000008